(57)【要約】   【課題】  金具や特別な工具がなくとも簡単に部屋状の空間を簡易に製作でき、専有面積をコンパクトに収める簡易ログモジュールを提供する。  【解決手段】  本考案の簡易ログモジュールは、ノッチ１１１を刻んだ仕切板材を基本部材１１０とし、ノッチ１１１によって直交または角度を付けて仕切板材１１０同士を交差しつつ積み上げて組み合わせた簡易ログモジュール１００である。仕切板材１１０を積層して形成した壁面１２０と、ノッチ１１１を介して壁面同士を直交または角度を付けて接合した角部１３０を備え、平面視において多角形に組み上げた囲繞体において、囲繞体の少なくとも一辺は壁面１２０がなく開放面１４０となっており、開放面１４０の上縁にのみ、仕切板材１１０の一片に相当する上縁仕切板材１５０を組み入れ、下方には仕切板材１１０を設けず開放面１４０とする。ノッチ部１１１を１つのみ備えた短端部材１６０も使用できる。【選択図】  図１
0003221562.tif 000002
【実用新案登録請求の範囲】
【請求項１】
左右端部付近にそれぞれノッチを刻んだ仕切板材を基本部材とし、前記ノッチによって直交または角度を付けて仕切板材同士を交差しつつ積み上げて組み合わせた簡易ログモジュールであって、
前記仕切板材を積層して形成した壁面と、前記ノッチを介して前記壁面同士を直交または角度を付けて接合した角部を備え、平面視において多角形に組み上げた囲繞体において、
前記囲繞体の少なくとも一面は前記壁面がなく開放面となっており、
前記開放面の上縁にのみ、前記仕切板材の一片に相当する上縁仕切板材を組み入れ、下方には前記仕切板材を設けず開放面としたことを特徴とする簡易ログモジュール。
【請求項２】
前記ノッチ部を１つのみ備えた短端部材を備え、
前記囲繞体の前記開放面の左右端にそれぞれ突出している前記仕切板材の前記ノッチ部に対して、前記短端部材の前記ノッチ部を嵌合させて、前記短端部材同士が離隔している間隔が前記開放面となっていることを特徴とする請求項１に記載の簡易ログモジュール。
【請求項３】
前記多角形が四角形であり、前記開放面が正面入口であり、左右の側壁面および背面の他の３面は壁面が形成されていることを特徴とする請求項１または２に記載の簡易ログモジュール。
【請求項４】
請求項３に記載の簡易ログモジュールが２つ以上あり、
隣接し合う簡易ログモジュール間に形成される前記壁面は共有され、各々の前記正面入口の方向が異なる方向に設けられた連棟であることを特徴とする請求項３に記載の簡易ログモジュール。
【請求項５】
請求項３に記載の簡易ログモジュールが４つあり、
隣接し合う簡易ログモジュール間に形成される前記壁面は共有され、各々の前記正面入口の方向が９０度異なる方向に設けられた連棟であることを特徴とする請求項３に記載の簡易ログモジュール。
【請求項６】
前記多角形が六角形であり、前記開放面が正面入口であり、他の５面は壁面が形成されていることを特徴とする請求項１または２に記載の簡易ログモジュール。
【請求項７】
請求項６に記載の簡易ログモジュールが２つ以上あり、
隣接し合う簡易ログモジュール間に形成される前記壁面は共有され、各々の前記正面入口の方向が異なる方向に設けられた連棟であることを特徴とする請求項６に記載の簡易ログモジュール。
【請求項８】
前記上縁の前記仕切部材を支持材として、布またはシート材を吊下して入口を塞ぐ簡易扉を設けた請求項１から７のいずれかに記載の簡易ログモジュール。
【請求項９】
前記開放面の前記上縁の前記仕切部材より内側に支持棒を通し、前記支持棒を支持体として、布またはシート材を吊下して入口を塞ぐ簡易扉を設けた請求項１から７のいずれかに記載の簡易ログモジュール。
【考案の詳細な説明】
【技術分野】
【０００１】
本考案は、簡易に組み立てることができる簡易ログモジュールに関する。例えば、地震、水害、噴火等の災害時の避難場所となる学校、体育館、公民館などの公共施設などの大部屋の中に簡易に多数立設することができ、利用者の利用空間を確保せしめることが可能となるものである。
【背景技術】
【０００２】
日本では、地震、水害、噴火等の災害が発生し得る。災害発生時には、行政などが中心なって被災者を支援する。災害は一度発生すると、自宅での生活が困難となって避難場所において避難生活を余儀なく強いられることもある。この場合の避難場所は行政の用意した学校、体育館、公民館などの収容力が大きな建物である場合が多く、広い室内を多数の被災者が共用しながらの避難生活を送ることとなる。避難場所での生活は、様々な不便があるため、被災者がストレスを感じることが多く、特に、避難生活においてプライバシーを確保することができないことが被災者のストレスの大きな要因となっている。
【０００３】
ここで、避難場所の室内を何らかの間仕切り（パーティション）で仕切って、被災者の利用空間を確保しようとする利用空間提供手段が知られている。
これら利用空間提供手段は、避難場所などの室内を仕切り形成するパーティション機能、設置場所で容易に設置できる簡便性、ある程度頑丈である構造的強度が求められる。また、不要となった際に、容易に解体ができるものでなくてはならない。
【０００４】
図７は、従来の第１の利用空間提供手段として、軽量パネルと自立支持材を組み合わせたものを示す図である（実用新案第３１０８５９２号）。
図７に示すように、この実用新案第３１０８５９２号に掲げたものは、軽量プラスチック製板材や段ボール材などに、スチールやプラスチック製の棒材を取り付けて自立させたものである。これは衝立状の間仕切りの域を出ておらず、実際に被災者の避難生活において、安心感を与え得る利用空間提供手段とはなり得ないものである。
【０００５】
次に、図８は、従来の第２の利用空間提供手段として、段ボールシートに枠入れ加工を施したものを示す図である（特開２００３−８２７９６号）。
図８に示すように、この特開２００３−８２７９６号に掲げたものは、屏風のように折り曲げて転倒しない程度に自立性を確保したものであり、まさに屏風型と呼べるものである。これも間仕切りの域を出ておらず、実際に被災者の避難生活において、安心感を与え得る利用空間提供手段とはなり得ない。ものである
【０００６】
次に、図９は、従来の第３の利用空間提供手段として、プラスチックボード同士を接合する接合部や蝶番部を提供するとともに、下方には自立を支援する転倒防止具を提供したものを示す図である（特開２００６−２９９７６４号）。
図９に示すように、この特開２００６−２９９７６４号に掲げたものは、パーティションとして配置やレイアウトなどの自由度が増すものであるが、やはり間仕切りの域を出ず、実際に被災者の避難生活において、安心感を与え得る利用空間提供手段とはなり得ないものである。
【０００７】
【特許文献１】実用新案第３１０８５９２号公報
【特許文献２】特開２００３−８２７９６号公報
【特許文献３】特開２００６−２９９７６４号公報
【考案の開示】
【考案が解決しようとする課題】
【０００８】
上記した従来の利用空間提供手段である実用新案第３１０８５９２号公報に開示された技術、特開２００３−８２７９６号公報に開示された技術、特開２００６−２９９７６４号公報に開示された技術は、いずれも、大きな共有空間において、利用者のプライバシースペースを確保するという点は評価できる。
【０００９】
しかし、上記従来の技術では、数日、数週間にわたる避難生活では十分な利用空間を継続的に提供できるものとは言い難いものであった。
やはり、段ボールや軽量プラスチックボードは、本来人が居住する壁材として利用されるものではなく、生活空間を演出できるものではない。
また、支持部材があるとはいえ、構造が脆弱であり、子供が押しただけでも壁面が移動してしまうおそれがあり、不安感が拭えないものであった。
【００１０】
考案者らは、木材を取り扱う事業を長年行っており、生活空間を仕切って演出するためには木材が最適である点、金具や特別な工具がなくとも簡単に部屋状の空間を簡易に製作できる作業性が高い点、避難所という特別な環境下でも安らぎを与え得る点、専有面積をコンパクトに収めるという点を活かした本考案の簡易ログモジュールを着想するに至った。
【課題を解決するための手段】
【００１１】
上記目的を達成するため、本考案の簡易ログモジュールは、ノッチを刻んだ仕切板材を基本部材とし、前記ノッチによって直交または角度を付けて仕切板材同士を交差しつつ積み上げて組み合わせた簡易ログモジュールであって、前記仕切板材を積層して形成した壁面と、前記ノッチを介して前記壁面同士を直交または角度を付けて接合した角部を備え、平面視において多角形に組み上げた囲繞体において、前記囲繞体の少なくとも一辺は前記壁面がなく開放面となっており、前記開放面の上縁にのみ、前記仕切板材の一片に相当する上縁仕切板材を組み入れ、下方には前記仕切板材を設けず開放面としたことを特徴とする簡易ログモジュールである。
【００１２】
また、ノッチ部を１つのみ備えた短端部材も使用し、囲繞体の開放面の左右端にそれぞれ突出している仕切板材のノッチ部に対して、短端部材のノッチ部を嵌合させて正面入り口を形成することができる。つまり、正面入り口は、短端部材同士が離隔している間隔が開放面となっている。
上記構成に示すように、いわゆるログハウスの組み立て構造を採用することができ、金具や特別な工具がなくとも簡単に部屋状の空間を簡易に製作できる作業性が確保できる。また、基礎工事のような地下工事を不要とし、専有面積をコンパクトに収めることができる。
【００１３】
さらに、上記構成において、上縁仕切部材を設けることにより構造強度を向上せしめることができる。もし、上縁仕切部材などを設けず、開放面に何らの構造物を設けずにまったくの開放面としてしまうと、平面視において周回する構造物がなく、例えば、多角形を矩形とすると、３面のみしか構造物がないコの字型の構造となってしまうと脆弱で構造強度が小さくなってしまうが、上縁仕切部材を通し入れておくことにより、開放面の開放性は保ちつつも上縁に仕切部材があるので矩形に周回する構造となり、構造強度を向上させることができる。
上記構成において、多角形が四角形とすると、一般の住居などでも多い矩形の部屋が形成できる。開放面は正面入口であり、左右の側壁面および背面の他の３面は壁面が形成される。
【００１４】
また、この簡易ログモジュールを２つ以上の連棟とすれば、隣接し合う簡易ログモジュール間に形成される壁面を共有化することができる。なお、各々の正面入口の方向が異なる方向に設けられた連棟とすれば、構造的に強くなる上、隣接家族間でもプライバシー空間を保ちやすくなる。
さらに、この簡易ログモジュールを４つの連棟とすることもでき、この場合、隣接し合う簡易ログモジュール間に形成される壁面は共有化することができる。さらに、各々の正面入口の方向が１８０度ずつ交互に逆に設けたり、各々の正面入口の方向が９０度異なる方向に設けたりするなど、多様なレイアウトが可能となる。
【００１５】
上記構成例は、簡易ログモジュールが使いやすい矩形であったが、本考案の簡易ログモジュールは矩形以外も形成できる。例えば、レイアウトとして六角形を採用することも可能である。この場合、開放面が正面入口となり、他の５面には壁面を形成するレイアウトが可能である。六角形は１棟１棟の構造的な強度が増す上、隣接した簡易ログモジュール同士を効率よく接続した連棟とすることも可能となる。
同様に、この六角形型の簡易ログモジュールを２つ以上の連棟とすることができる。つまり、隣接し合う簡易ログモジュール間に形成される壁面は共有化し、各々の正面入口の方向が異なる方向に設けられた連棟とすることができる。
【００１６】
次に、入口であるが、本考案の簡易ログモジュールでは特に限定はされない。例えば、解放型としておいても良いし、蝶番を付けてドアのような開閉式の扉を取り付けることも可能である。また、簡易的に、入口の上縁の仕切部材を支持材として、布またはシート材を吊下して入口を塞ぐ簡易扉を設けることもできる。
なお、開放面の上縁仕切部材は、構造強度を向上させる役目があるので、上縁仕切部材とは異なる部材を利用することも可能である。つまり、上縁仕切部材より内側に支持棒を通し入れておくことにより、その支持棒を支持体として、布またはシート材を吊下して入口を塞ぐ簡易扉とすることも可能である。
【考案の効果】
【００１７】
本考案にかかる簡易ログモジュールによれば、いわゆるログハウスの組み立て構造を採用することができ、金具や特別な工具がなくとも簡単に部屋状の空間を簡易に製作できる作業性が確保できる。また、基礎工事のような地下工事を不要とし、専有面積をコンパクトに収めることができる。
また、上縁仕切部材を設けることにより構造強度を向上せしめることができる。上縁仕切部材を通し入れておくことにより、開放面の開放性は保ちつつも上縁に仕切部材があるので矩形に周回する構造となり、構造強度を向上させることができる。
【図面の簡単な説明】
【００１８】
【図１】本考案の実施例１にかかる簡易ログモジュール１００の構成例を簡単に示した図である。
【図２】矩形型で１棟のみの簡易ログモジュール１００の基本構成例を示す図である。
【図３】簡易ログモジュール１００ａ〜ｄを４つ一列に並べて設けて連棟２００とした構成例を示す図である。
【図４】図３の簡易ログモジュール１００の連棟２００を斜視図により示した図である。
【図５】連棟２００の他のレイアウト例を示す図である。
【図６】連棟２００のさらに他のレイアウト例を示す図である。
【図７】軽量パネルと自立支持材を組み合わせた従来の第１の利用空間提供手段を示す図である（実用新案第３１０８５９２号）。
【図８】従来の第２の利用空間提供手段として、段ボールシートに枠入れ加工を施したものを示す図である（特開２００３−８２７９６号）
【図９】従来の第３の利用空間提供手段として、プラスチックボード同士を接合する接合部や転倒防止具を提供したものを示す図である（特開２００６−２９９７６４号）。
【考案を実施するための最良の形態】
【００１９】
本考案の簡易ログモジュールおよび梱包方法の実施例に基づいて詳細に説明する。なお、本考案はこれらの実施例に限定されるものではない。
【実施例１】
【００２０】
図１は、本考案の実施例１にかかる簡易ログモジュール１００の構成例を簡単に示した図である。
図１（ａ）は基本部材である仕切板材１１０を取り出して示した図、図１（ｂ）は一例として組み上げた簡易ログモジュール１００の斜視図となっている。
図２は、矩形型で１棟のみの簡易ログモジュール１００の基本構成例であり、図２（ａ）が正面図、図２（ｂ）が右側面図、図２（ｃ）が平面図を示したものである。なお、遠近感や部材の違いが分かりやすいように、上縁仕切板材１５０および短端部材１６０にはハッチングを施している。
【００２１】
本考案の簡易ログモジュール１００は、基本部材である仕切板材１１０、ノッチ１１１、壁面１２０、角部１３０、開放面１４０、上縁仕切板材１５０、短端部材１６０を備えた構造となっている。
【００２２】
仕切板材１１０は、基本部材となる仕切板材１１０であって、例えば、ログハウスなどで用いられる仕切部材であっても良い。
仕切板材１１０は、図１（ａ）に示すように、左右端部付近にそれぞれノッチ１１１を刻んだものとなっている。このノッチ１１１の幅は、仕切板材１１０の板材の厚みに相当するものであり、このノッチ１１１に対して他の仕切板材１１０を嵌め込むことで嵌合できる仕組みとなっている。
【００２３】
オプションであるが、仕切板材１１０は、上端に突条片１１２、下端に凹条片１１３を刻んでおく構成も好ましい。仕切板材１１０を上下方向に積み上げる際に、ある仕切板材１１０の上端の突条片１１２が、積み上げる仕切板材１１０の下端の凹条片１１３に嵌まり込んで両者が上下方向で合致しあい、仕切板材１１０を積み上げて壁面１２０を形成した際に、仕切板材１１０同士の間に隙間がなくなり、壁面１２０としての仕上がりが良くなる。
【００２４】
仕切板材１１０を積層して形成した壁面１２０は、ノッチ１１１を介して壁面１２０同士が直交または角度を付けて接合される。壁面１２０同士の境目には角部１３０が形成され、平面視において多角形に組み上げた囲繞体となる。
【００２５】
ノッチ１１１に付けられている角度は限定されないが、図１の例ではノッチの角度は板面に対して９０度で設けられており、仕切板材１１０同士は直交するように組み上げられる。主に矩形の簡易ログモジュール１００を形成する場合はノッチ１１１の角度は９０度で良い。また、例えば、ノッチ１１１の角度が板面に対して６０度であれば、仕切板材１１０同士は１２０度の角度で交差して組み上げられる。全体が６角形型の簡易ログモジュール１００を形成する場合はノッチ１１１の角度は６０度で良い。
このように、壁面１２０で囲った囲繞体の空間が提供されるが、囲繞体の少なくとも一辺は壁面１２０がなく開放面１４０となっており、この開放面１４０が簡易ログモジュール１００の入口を形成する。
【００２６】
上縁仕切板材１５０は、開放面１４０の上縁に取り付けられるものであり、形状としては仕切板材１１０の一片で良い。上縁仕切板材１５０を組み入れ、下方には仕切板材１１０を設けず開放面１４０が形成される。
本考案の簡易ログモジュール１００は、ログハウスの組み立て構造同様、金具や特別な工具がなくとも簡単に部屋状の空間を簡易に製作できる作業性が確保されているが、正面入り口は開放面１４０となっており、そのままでは壁面１２０同士が何ら接合されない箇所が残る。そこで、図１（ｂ）、図２に示すように、上縁仕切部材１５０を上縁に設けることにより構造強度を向上せしめることができる。この上縁仕切部材１５０がなければ、背面の壁面１２０に対して、ノッチ部１１１を介して左右の壁面１２０が組み上げられているだけとなり、左右の壁面１２０が安定しない可能性があるが、上縁仕切部材１５０があることにより、左右の壁面１２０が安定し、構造的強度が向上する。
【００２７】
短端部材１６０は、ノッチ部１１１を１つのみ備えた仕切部材である。いわゆる正面入り口となる開放面１４０の端部の仕上げの役割を果たす。
囲繞体の開放面１４０は、左右の壁面１２０の端部がそれぞれ突出しているが、その仕切板材１１０のノッチ部１１１に対して、短端部材１６０のノッチ部１１１を嵌合させて取り付ける。
図１（ｂ）や図２（ａ）に示すように、上縁仕切部材１５０と短端部材１６０があれば、開放面１４０がいわゆるアーチ状に周囲がかたどられた造形となり、正面入り口として利用者に安心感が増す。
結局、正面入り口の幅は、左右に離れている短端部材１６０同士の間隔となる。
【００２８】
なお、上縁仕切部材１５０を支持材として、布またはシート材を吊下して入口を塞ぐ簡易扉を設けることもできる。
また、開放面１４０の上縁仕切部材１５０より内側に支持棒を通し、支持棒を支持体として、布またはシート材を吊下して入口を塞ぐ簡易扉を設けることも可能である。
【実施例２】
【００２９】
実施例２として、簡易ログモジュール１００を２つ以上設けて連棟２００とした構成例について示す。
簡易ログモジュール１００を複数設けて連棟２００とする構造は様々な構造があり得る。
図３は、簡易ログモジュール１００ａ〜ｄを４つ一列に並べて設けて連棟２００とした構成例を示す図である。連棟の並びが分かりやすいように平面図により示している。
図４は、図３の簡易ログモジュール１００の連棟２００を斜視図により示した図である。図４（ｂ）は利用時のイメージ図である。
【００３０】
図３および図４の構成例では、１つあたりの簡易ログモジュール１００は、矩形型の構造例であり、開放面１４０が正面入口であり、左右の側壁面１２０および背面１２０が形成されている例となっている。この簡易ログモジュール１００を一列に並べており、図３では、左から、一番左の簡易ログモジュール１００ａ、左から２番目の簡易ログモジュール１００ｂ、左から３番目の簡易ログモジュール１００ｃ、左から４番目の簡易ログモジュール１００ｄが図示されている。
【００３１】
図３および図４の構造例では、隣接し合う簡易ログモジュール１００同士が１つの壁面１２０を共有し合っている例となっている。しかし、正面入り口となる開放面１４０が相互に逆方向に設けられた構造例となっている。つまり、図３において、一番左の簡易ログモジュール１００ａの正面入り口となる開放面１４０は図中手前側に向けて設けられているが、左から２番目の簡易ログモジュール１００ｂにおいては、正面入り口となる開放面１４０は図中奥側に向けて設けられている。同様に、左から３番目の簡易ログモジュール１００ｃにおいては正面入り口となる開放面１４０は図中手前に向けて設けられており、左から４番目の簡易ログモジュール１００ｄにおいては正面入り口となる開放面１４０は図中奥側に向けて設けられている。
【００３２】
このように、正面入り口となる開放面１４０を交互に設けることにより、連棟２００全体の構造的強度が向上する。つまり、正面入り口となる開放面１４０は仕切板材１１０の数などが少なく、他の壁面１２０に比べて構造強度が大きくないところ、開放面１４０が１方向に向けて集められると、開放面１４０が集められた方向に構造的強度が弱くなるおそれがある。図３（ａ）に示すように、正面入り口となる開放面１４０を交互に設けておけば、構造強度が弱い部分が分散することとなり、連棟２００全体としての構造的強度が担保されやすくなる。
また、この図３の例では、隣接し合う簡易ログモジュール１００間に形成される壁面１２０が共有されており、その共有された壁面１２０に対してノッチ部１１１を介して背面の壁面１２０が取り付けられているので、４つの簡易ログモジュール１００ａ〜ｄの構造が連綿とつながっており、さらに、連棟２００全体としての構造的強度が担保されやすくなる。
【００３３】
次に、簡易ログモジュール１００内の付属物について述べる。
簡易ログモジュール１００内には様々な付属物を供することができる。例えば、居住性を向上するため、椅子などの造作物１７０も併せて設置することが好ましい。例えば、図４では、簡易ログモジュール１００内に椅子などの造作物１７０も併せて設置された例となっている。ここではいわゆる簀子のように板材が並べられたものが図示されているが、椅子などの造作物１７０は一例であり様々な形状のものがあり得る。
【００３４】
さらに、正面入り口の開放面１４０において、簡易扉を設けることも好ましい。図４（ｂ）の利用時のイメージ図では布状の簡易扉を設けた例となっている。図４（ｂ）の例では、上縁仕切部材１５０より内側に支持棒１８０を渡しておき、この支持棒１８０を支持体として、布またはシート材１８１を吊下して入口を簡単に塞ぐ簡易扉とすることも可能である。
【００３５】
次に、連棟２００の他のレイアウト例を示す。図５のレイアウト例は、４つの簡易ログモジュール１００ａ〜ｄが四方から集まった形状となっており、隣接し合う簡易ログモジュール１００ａ〜ｄ間に形成される壁面１２０は共有され、各々の正面入口の方向が９０度異なる方向に設けられた連棟となっている。
この図５の構成においても、正面入り口となる開放面１４０が９０度ずつずれて設けられていることによって連棟２００全体の構造的強度が向上する。
【００３６】
次に、囲繞体は矩形以外の多角形でも可能である。図６は、平面において６角形型の簡易ログモジュール１００の構成例である。開放面が正面入口であり、他の５面は壁面１２０が形成されている。
この６角形型の簡易ログモジュール１００でも２つ以上を集合させて連棟２００とすることもできる。この場合、隣接し合う簡易ログモジュール間に形成される壁面１２０は共有することができ、各々の正面入口の開放面の方向を異なる方向に設けることが好ましい。
【００３７】
以上、本考案の簡易ログモジュールおよび梱包方法の構成例における好ましい実施形態を図示して説明してきたが、本考案の技術的範囲を逸脱することなく種々の変更が可能であることは理解されるであろう。
【産業上の利用可能性】
【００３８】
本考案の簡易ログモジュールは、災害時などの緊急避難場所において、簡易に組み立てることができる。例えば、地震、水害、噴火等の災害時の避難場所となる学校、体育館、公民館などの公共施設などの大部屋の中に簡易に多数立設することができ、利用者の利用空間を確保せしめる設備として広く適用することができる。
【符号の説明】
【００３９】
１００  簡易ログモジュール
１１０  仕切部材
１１１  ノッチ部
１１２  突条片
１１３  凹条片
１２０  壁面
１３０  角部
１４０  開放面
１５０  上縁仕切板材
１６０  短端部材
１７０  造作物
１８０  支持棒
１８１  簡易扉
２００  連棟
【図１】
0003221562.tif 000003
【図２】
0003221562.tif 000004
【図３】
0003221562.tif 000005
【図４】
0003221562.tif 000006
【図５】
0003221562.tif 000007
【図６】
0003221562.tif 000008
【図７】
0003221562.tif 000009
【図８】
0003221562.tif 000010
【図９】
0003221562.tif 000011
【手続補正書】
【提出日】平成31年4月4日(2019.4.4)
【手続補正１】
【補正対象書類名】実用新案登録請求の範囲
【補正対象項目名】全文
【補正方法】変更
【補正の内容】
【実用新案登録請求の範囲】
【請求項１】
左右端部付近にそれぞれノッチを刻んだ仕切板材を基本部材とし、前記ノッチによって直交または角度を付けて仕切板材同士を交差しつつ積み上げて組み合わせた簡易ログモジュールであって、
前記仕切板材を積層して形成した壁面と、前記ノッチを介して前記壁面同士を直交または角度を付けて接合した角部を備え、平面視において多角形に組み上げた囲繞体において、
前記囲繞体の少なくとも一面は前記壁面がなく開放面となっており、
前記開放面の上縁にのみ、前記仕切板材の一片に相当する上縁仕切板材を組み入れ、下方には前記仕切板材を設けず開放面としたことを特徴とする簡易ログモジュール。
【請求項２】
前記ノッチを１つのみ備えた短端部材を備え、
前記囲繞体の前記開放面の左右端にそれぞれ突出している前記仕切板材の前記ノッチに対して、前記短端部材の前記ノッチを嵌合させて、前記短端部材同士が離隔している間隔が前記開放面となっていることを特徴とする請求項１に記載の簡易ログモジュール。
【請求項３】
前記多角形が四角形であり、前記開放面が正面入口であり、左右の側壁面および背面の他の３面は壁面が形成されていることを特徴とする請求項１または２に記載の簡易ログモジュール。
【請求項４】
請求項３に記載の簡易ログモジュールが２つ以上あり、
隣接し合う簡易ログモジュール間に形成される前記壁面は共有され、各々の前記正面入口の方向が異なる方向に設けられた連棟であることを特徴とする請求項３に記載の簡易ログモジュール。
【請求項５】
請求項３に記載の簡易ログモジュールが４つあり、
隣接し合う簡易ログモジュール間に形成される前記壁面は共有され、各々の前記正面入口の方向が９０度異なる方向に設けられた連棟であることを特徴とする請求項３に記載の簡易ログモジュール。
【請求項６】
前記多角形が六角形であり、前記開放面が正面入口であり、他の５面は壁面が形成されていることを特徴とする請求項１または２に記載の簡易ログモジュール。
【請求項７】
請求項６に記載の簡易ログモジュールが２つ以上あり、
隣接し合う簡易ログモジュール間に形成される前記壁面は共有され、各々の前記正面入口の方向が異なる方向に設けられた連棟であることを特徴とする請求項６に記載の簡易ログモジュール。
【請求項８】
前記上縁の前記仕切板材を支持材として、布またはシート材を吊下して入口を塞ぐ簡易扉を設けた請求項１から７のいずれかに記載の簡易ログモジュール。
【請求項９】
前記開放面の前記上縁の前記仕切板材より内側に支持棒を通し、前記支持棒を支持体として、布またはシート材を吊下して入口を塞ぐ簡易扉を設けた請求項１から７のいずれかに記載の簡易ログモジュール。
【手続補正２】
【補正対象書類名】明細書
【補正対象項目名】００１２
【補正方法】変更
【補正の内容】
【００１２】
また、ノッチを１つのみ備えた短端部材も使用し、囲繞体の開放面の左右端にそれぞれ突出している仕切板材のノッチに対して、短端部材のノッチを嵌合させて正面入り口を形成することができる。つまり、正面入り口は、短端部材同士が離隔している間隔が開放面となっている。
上記構成に示すように、いわゆるログハウスの組み立て構造を採用することができ、金具や特別な工具がなくとも簡単に部屋状の空間を簡易に製作できる作業性が確保できる。また、基礎工事のような地下工事を不要とし、専有面積をコンパクトに収めることができる。
【手続補正３】
【補正対象書類名】明細書
【補正対象項目名】００２６
【補正方法】変更
【補正の内容】
【００２６】
上縁仕切板材１５０は、開放面１４０の上縁に取り付けられるものであり、形状としては仕切板材１１０の一片で良い。上縁仕切板材１５０を組み入れ、下方には仕切板材１１０を設けず開放面１４０が形成される。
本考案の簡易ログモジュール１００は、ログハウスの組み立て構造同様、金具や特別な工具がなくとも簡単に部屋状の空間を簡易に製作できる作業性が確保されているが、正面入り口は開放面１４０となっており、そのままでは壁面１２０同士が何ら接合されない箇所が残る。そこで、図１（ｂ）、図２に示すように、上縁仕切部材１５０を上縁に設けることにより構造強度を向上せしめることができる。この上縁仕切部材１５０がなければ、背面の壁面１２０に対して、ノッチ１１１を介して左右の壁面１２０が組み上げられているだけとなり、左右の壁面１２０が安定しない可能性があるが、上縁仕切部材１５０があることにより、左右の壁面１２０が安定し、構造的強度が向上する。
【手続補正４】
【補正対象書類名】明細書
【補正対象項目名】００２７
【補正方法】変更
【補正の内容】
【００２７】
短端部材１６０は、ノッチ１１１を１つのみ備えた仕切部材である。いわゆる正面入り口となる開放面１４０の端部の仕上げの役割を果たす。
囲繞体の開放面１４０は、左右の壁面１２０の端部がそれぞれ突出しているが、その仕切板材１１０のノッチ１１１に対して、短端部材１６０のノッチ１１１を嵌合させて取り付ける。
図１（ｂ）や図２（ａ）に示すように、上縁仕切部材１５０と短端部材１６０があれば、開放面１４０がいわゆるアーチ状に周囲がかたどられた造形となり、正面入り口として利用者に安心感が増す。
結局、正面入り口の幅は、左右に離れている短端部材１６０同士の間隔となる。
【手続補正５】
【補正対象書類名】明細書
【補正対象項目名】００３２
【補正方法】変更
【補正の内容】
【００３２】
このように、正面入り口となる開放面１４０を交互に設けることにより、連棟２００全体の構造的強度が向上する。つまり、正面入り口となる開放面１４０は仕切板材１１０の数などが少なく、他の壁面１２０に比べて構造強度が大きくないところ、開放面１４０が１方向に向けて集められると、開放面１４０が集められた方向に構造的強度が弱くなるおそれがある。図３（ａ）に示すように、正面入り口となる開放面１４０を交互に設けておけば、構造強度が弱い部分が分散することとなり、連棟２００全体としての構造的強度が担保されやすくなる。
また、この図３の例では、隣接し合う簡易ログモジュール１００間に形成される壁面１２０が共有されており、その共有された壁面１２０に対してノッチ１１１を介して背面の壁面１２０が取り付けられているので、４つの簡易ログモジュール１００ａ〜ｄの構造が連綿とつながっており、さらに、連棟２００全体としての構造的強度が担保されやすくなる。
【手続補正６】
【補正対象書類名】明細書
【補正対象項目名】００３９
【補正方法】変更
【補正の内容】
【００３９】
１００  簡易ログモジュール
１１０  仕切部材
１１１  ノッチ
１１２  突条片
１１３  凹条片
１２０  壁面
１３０  角部
１４０  開放面
１５０  上縁仕切板材
１６０  短端部材
１７０  造作物
１８０  支持棒
１８１  簡易扉
２００  連棟